(57)【特許請求の範囲】
【請求項１】
二つの接続線、該接続線の二つの反対端にそれぞれ設置された二つのコネクタ、それぞれが、該接続線の、該二つのコネクタのうちの対応する一つのコネクタの近くに固定される二つのアラーム装置、それぞれ該二つのアラーム装置に接続されて閉回路を形成し、これにより、該二つのアラーム装置の一つが電源に接続される時に、該二つのアラーム装置が同期して動作し、使用者に接続線がどこかで動作していることを確認させる二つの導線を包含し、
該接続線は光ファイバーであり、各接続線はインナーコート層とアウターコート層に順に被覆されたコアを包含し、該二つの導線はそれぞれ該二つの接続線のうちの対応する一つの該アウターコート層の周辺に固定されることを特徴とする、信号伝送装置。
【請求項２】
請求項１記載の信号伝送装置において、該アラーム装置は互いに隣接して回路板を収容するチャンバを画定する第１ハウジングと第２ハウジングを包含し、該回路板は該二つの導線に電気的に接続され、少なくとも一つのアラーム素子が該アラーム装置の周辺に固定されて電気的に該回路板に接続されることを特徴とする、信号伝送装置。
【請求項３】
請求項２記載の信号伝送装置において、該アラーム装置はＬＥＤであるアラーム素子を包含することを特徴とする、信号伝送装置。
【請求項４】
請求項２記載の信号伝送装置において、該アラーム装置はブザーであるアラーム素子を包含することを特徴とする、信号伝送装置。
【請求項５】
請求項２記載の信号伝送装置において、該アラーム装置はＬＥＤとブザーである二つのアラーム素子を包含することを特徴とする、信号伝送装置。
【請求項６】
二つの接続線、該接続線の二つの反対端にそれぞれ設置された二つのコネクタ、それぞれが、該接続線の、該二つのコネクタのうちの対応する一つのコネクタの近くに固定される二つのアラーム装置、それぞれ該二つのアラーム装置に接続されて閉回路を形成し、これにより、該二つのアラーム装置の一つが電源に接続される時に、該二つのアラーム装置が同期して動作し、使用者に接続線がどこかで動作していることを確認させる二つの導線を包含し、
該接続線は光ファイバーであり、各接続線はインナーコート層とアウターコート層に順に被覆されたコアを包含し、該二つの導線はそれぞれ該二つの接続線のうちの対応する一つの、該インナーコート層と該アウターコート層の間に配置されることを特徴とする、信号伝送装置。
【請求項７】
一つの接続線、該接続線の二つの反対端にそれぞれ設置された二つのコネクタ、それぞれが、該接続線の、該二つのコネクタのうちの対応する一つのコネクタの近くに固定される二つのアラーム装置、それぞれ該二つのアラーム装置に接続されて閉回路を形成し、これにより、該二つのアラーム装置の一つが電源に接続される時に、該二つのアラーム装置が同期して動作し、使用者に接続線がどこかで動作していることを確認させる二つの導線を包含し、
該接続線は光ファイバーであり、該接続線は該インナーコート層と該アウターコート層に順に被覆されたコアを包含し、該二つの導線は該接続線の該インナーコート層と該アウターコート層の間に配置されることを特徴とする、信号伝送装置。
【請求項８】
請求項７記載の信号伝送装置において、該導線の一つは裸線とされ、もう一つは絶縁層に被覆されたことを特徴とする、信号伝送装置。
【発明の詳細な説明】
【技術分野】
【０００１】
本発明は、信号伝送装置に係り、特に、該信号伝送装置が複合体である時、操作者が正しい一つの接続線を選択できる信号伝送装置に関する。
【背景技術】
【０００２】
ＦＴＴＨ（ｆｉｂｅｒ  ｔｏ  ｔｈｅ  ｈｏｍｅ）工程の普及により、その小体積、軽量、及び信号伝送の信頼度により光ファイバーが広く使用されるようになった。しかし、光ファイバーの数が多く、長く、及び複合されている時、正しい一つの光ファイバーを探してチェックするには非常に不便で、なぜなら、光ファイバーの二つの接続端の入力／出力波長は等しくなければならず、そのため二つの反対端は同じ波長の二つの光学モジュールを具えていなければならない。複合光ファイバー間を識別する最も簡単な方法は、光ファイバーのカバーの色を使用することである。しかし、それは、色が互いに類似している時は、難しい。光ファイバーを識別する他の方法は、各光ファイバーをエンコードすることである。たとえば、コントロールルーム内で、ロウのキヤビネット、層とルーター内のキャビネットで光ファイバーを識別するには、光ファイバーはＡ１−３／４−０４−４８のようにエンコードされ、それはラベル上に記載されて該光ファイバーに接着される。
【０００３】
しかしながら、光ファイバーを識別する従来の方法は、以下のような欠点を有している。
１．エンコード方法が操作者毎に異なり、そのため新人は先の操作者によるエンコード規則が分からない。
２．ラベルが光ファイバーからはがれ落ちたり、間違った光ファイバーに接着されることがある。
３．ラベル上の文字がある期間使用の後に褪せることがある。
４．操作者は光ファイバーを探してチェックする前に前もってエラーの光ファイバーのコードを記憶する必要がある。それは多くの時間を要する。さらに、正常な光ファイバーの信号が、操作者が間違ったコードを覚えていると切断されてしまう。
【発明の開示】
【発明が解決しようとする課題】
【０００４】
本発明は光ファイバーを識別するための従来の方法の欠点を軽減及び又は除去するためになされた。
【０００５】
本発明の主要な目的は、信号伝送装置が複合体である時に操作者が正しい接続線を選択できるように改良された信号伝送装置を提供することにある。
【課題を解決するための手段】
【０００６】
請求項１の発明は、二つの接続線、該接続線の二つの反対端にそれぞれ設置された二つのコネクタ、それぞれが、該接続線の、該二つのコネクタのうちの対応する一つのコネクタの近くに固定される二つのアラーム装置、それぞれ該二つのアラーム装置に接続されて閉回路を形成し、これにより、該二つのアラーム装置の一つが電源に接続される時に、該二つのアラーム装置が同期して動作し、使用者に接続線がどこかで動作していることを確認させる二つの導線を包含し、
該接続線は光ファイバーであり、各接続線はインナーコート層とアウターコート層に順に被覆されたコアを包含し、該二つの導線はそれぞれ該二つの接続線のうちの対応する一つの該アウターコート層の周辺に固定されることを特徴とする、信号伝送装置としている。
請求項２の発明は、請求項１記載の信号伝送装置において、該アラーム装置は互いに隣接して回路板を収容するチャンバを画定する第１ハウジングと第２ハウジングを包含し、該回路板は該二つの導線に電気的に接続され、少なくとも一つのアラーム素子が該アラーム装置の周辺に固定されて電気的に該回路板に接続されることを特徴とする、信号伝送装置としている。
請求項３の発明は、請求項２記載の信号伝送装置において、該アラーム装置はＬＥＤであるアラーム素子を包含することを特徴とする、信号伝送装置としている。
請求項４の発明は、請求項２記載の信号伝送装置において、該アラーム装置はブザーであるアラーム素子を包含することを特徴とする、信号伝送装置としている。
請求項５の発明は、請求項２記載の信号伝送装置において、該アラーム装置はＬＥＤとブザーである二つのアラーム素子を包含することを特徴とする、信号伝送装置としている。
請求項６の発明は、二つの接続線、該接続線の二つの反対端にそれぞれ設置された二つのコネクタ、それぞれが、該接続線の、該二つのコネクタのうちの対応する一つのコネクタの近くに固定される二つのアラーム装置、それぞれ該二つのアラーム装置に接続されて閉回路を形成し、これにより、該二つのアラーム装置の一つが電源に接続される時に、該二つのアラーム装置が同期して動作し、使用者に接続線がどこかで動作していることを確認させる二つの導線を包含し、
該接続線は光ファイバーであり、各接続線はインナーコート層とアウターコート層に順に被覆されたコアを包含し、該二つの導線はそれぞれ該二つの接続線のうちの対応する一つの、該インナーコート層と該アウターコート層の間に配置されることを特徴とする、信号伝送装置としている。
請求項７の発明は、一つの接続線、該接続線の二つの反対端にそれぞれ設置された二つのコネクタ、それぞれが、該接続線の、該二つのコネクタのうちの対応する一つのコネクタの近くに固定される二つのアラーム装置、それぞれ該二つのアラーム装置に接続されて閉回路を形成し、これにより、該二つのアラーム装置の一つが電源に接続される時に、該二つのアラーム装置が同期して動作し、使用者に接続線がどこかで動作していることを確認させる二つの導線を包含し、
該接続線は光ファイバーであり、該接続線は該インナーコート層と該アウターコート層に順に被覆されたコアを包含し、該二つの導線は該接続線の該インナーコート層と該アウターコート層の間に配置されることを特徴とする、信号伝送装置としている。
請求項８の発明は、請求項７記載の信号伝送装置において、該導線の一つは裸線とされ、もう一つは絶縁層に被覆されたことを特徴とする、信号伝送装置としている。
【発明の効果】
【０００７】
本発明による信号伝送装置は、二つの接続線を包含する。二つのコネクタが、各該コネクタの両端それぞれにコネクタが設けられている。二つのアラーム装置が該二つの接続線に固定され、それぞれが該二つのコネクタのうちの対応する一つの近くに固定される。二つの導線がそれぞれ該二つのアラーム装置に接続されて、閉回路を形成し、これにより、該二つのアラーム装置の一つが電源に接続される時に、該二つのアラーム装置が同期して動作し、使用者に接続線がいずれかで動作していることを確認させる。
【図面の簡単な説明】
【０００８】
【図１】従来の技術による伝統的な光ファイバージャンパーの斜視図である。
【図２】本発明による信号伝送装置の斜視図である。
【図３】図２の信号伝送装置の部分分解図である。
【図４Ａ】本発明の信号伝送装置の第１実施例の断面図である。
【図４Ｂ】本発明の信号伝送装置の第２実施例の断面図である。
【図４Ｃ】本発明の信号伝送装置の第３実施例の断面図である。
【図４Ｄ】本発明の信号伝送装置の第４実施例の断面図である。
【図５】本発明の信号伝送装置の第５実施例の断面図である。
【図６】本発明の信号伝送装置の第６実施例の断面図である。
【発明を実施するための形態】
【０００９】
本発明のさらなる利点及び長所は添付の図を適宜参照して詳細な説明を注意深く読むことで明確となる。
【００１０】
図１を参照されたい。伝統的なデュプレックス信号伝送装置は、二つのロープ０１を包含する。各ロープ０１はその二つの反対端にそれぞれ接続された二つのコネクタ０２を包含する。さらに図４Ａに示されるように、通常、該ロープ０１は、インナーコート層０４、強化層０５、アウターコート層０６で順に被覆されたコア０３を有する。該二つのコネクタ０２はそれぞれ二つの機器に接続されて信号を伝送する。しかし、ロープ０１が多量で、長く及び複合体であると、適合するロープ０１を見つけてチェックするのは難しい。
【００１１】
図２及び３に示されるように、本発明の信号伝送装置は二つの接続線１を包含する。二つのコネクタ２はそれぞれ該二つの接続線１のそれぞれの二つの反対端に設けられる。二つのアラーム装置３は該二つの接続線１の、該二つのコネクタ２のうちの対応する一つの近くに固定される。二つの導線４はそれぞれ該二つのアラーム装置３に接続されて、閉回路を形成し、これにより、該二つのアラーム装置３の一つが電源に接続される時に、該二つのアラーム装置が同期して動作し、使用者に接続線１がいずれかで動作していることを確認させる。本発明の好ましい実施例において、該アラーム装置３は互いに隣接してチャンバ（符号なし）を画定する第１ハウジング５と第２ハウジング６を有して、回路板７を収容し、該回路板７は電気的に該二つの導線４に接続される。少なくとも一つのアラーム素子が、該アラーム装置３の周辺に固定され、電気的に該回路板７に接続される。本発明の好ましい実施例において、該アラーム素子はＬＥＤ８或いはブザー９とされる。しかし、該ＬＥＤ８と該ブザー９は、必要であれば共に該アラーム装置３に固定される。電源プラグ１１が選択的に該アラーム装置３に固定され、電気的に該回路板７に接続され、これにより、該二つのアラーム装置３が、該電源プラグ１１が該二つのアラーム装置３上に固定された時に動作する。
【００１２】
以下に、本発明による信号伝送装置の好ましい実施例は光ファイバージャンパーとされ、該接続線１は光ファイバーとされる。図４Ａに示されるように、該光ファイバーはデュプレックスであり、そのうち該二つの導線４はそれぞれ絶縁材料１０で被覆され、該二つの接続線１の間に配置される。該絶縁材料１０は、ポリ塩化ビニル（ＰＶＣ）である。図４Ｂに示されるように、該二つの導線４はそれぞれ絶縁材料１０で被覆されそれぞれ、該二つの接続線１の対応する一つに、横に接続される。図４Ｃに示されるように、該二つの導線４及び該二つの接続線１は互いに隣接する。該二つの導線４及び該二つの接続線１は絶縁材料１０中に被覆される。図４Ｄに示されるように、各導線４は該二つの接続線１の対応する一つのインナーコート層０４とアウターコート層０６の間に配置される。図６に示されるように、多重接続線１は、図４Ｄにおいて、必要であればロープ状にされ光ケーブルを形成する。
【００１３】
図５を参照すると、本発明の信号伝送装置は、単一光ファイバージャンパーであり該二つの導線４は該インナーコート層０４と該アウターコート層０６の間に配置され、そのうち、一つの導線４は裸線とされ、もう一方は絶縁層４１内に被覆されている。
【００１４】
上述されたように、該二つのアラーム装置３は電源プラグ１１が該二つのアラーム装置３の一つに取り付けられた時に同時に動作する。結果的に、操作者は、接続線が多数で、長く複合体である時に、適合する一つの接続線３を簡単に選択できる。
【００１５】
本発明はその好ましい実施例において説明されたが、多くの他の可能な変更及び変化をクレームされる本発明の精神と範囲から逸脱することなくなし得る。
【図１】
0005425240.tif 000002
【図２】
0005425240.tif 000003
【図３】
0005425240.tif 000004
【図４Ａ】
0005425240.tif 000005
【図４Ｂ】
0005425240.tif 000006
【図４Ｃ】
0005425240.tif 000007
【図４Ｄ】
0005425240.tif 000008
【図５】
0005425240.tif 000009
【図６】
0005425240.tif 000010